(57)【要約】【課題】不正使用者が使用可能領域外で端末装置を使用した後は、その後に使用可能領域内に入ったとしても、端末装置から秘密情報を取得することを不可能にすることができる端末装置等を提供すること。【解決手段】端末装置２０の起動時に、現在位置情報を生成する現在位置情報生成手段と、現在位置情報に示される現在位置が、使用可能領域Ｘ内か否かを判断する使用可能領域内外判断手段と、現在位置が使用可能領域Ｘ内ではないと判断した場合に、端末装置２０の電源を切断する使用可能領域外電源切断手段と、使用可能領域外電源切断手段によって電源が切断された後の起動時において、端末装置２０を使用する者の識別情報によって、端末装置２０の使用が許可された被許可者であることの認証をすることができるか否かを判断する認証手段と、認証手段による認証ができない場合には、端末装置２０の電源を切断する認証不可電源切断手段と、を有する。【選択図】図４
2007043378.tif 000002
【特許請求の範囲】
【請求項１】
秘密情報を格納した端末装置であって、
前記端末装置の使用可能領域を示す使用可能領域情報を格納する使用可能領域情報格納手段と、
前記端末装置の起動時に、前記端末装置の現在位置を示す現在位置情報を生成する現在位置情報生成手段と、
前記現在位置情報に示される現在位置が、前記使用可能領域内か否かを判断する使用可能領域内外判断手段と、
前記使用可能領域内外判断手段が、前記現在位置が前記使用可能領域内ではないと判断した場合に、前記端末装置の電源を切断する使用可能領域外電源切断手段と、
前記使用可能領域外電源切断手段によって電源が切断された後の起動時において、前記端末装置を使用する者の識別情報によって、前記端末装置の使用が許可された被許可者であることを認証することができるか否かを判断する認証手段と、
前記認証手段が前記認証をすることができないと判断した場合には、前記端末装置の電源を切断する認証不可電源切断手段と、
を有することを特徴とする端末装置。
【請求項２】
前記現在位置情報、前記現在位置情報を生成した日時及び前記識別情報を記録する使用履歴情報記録手段を有することを特徴とする請求項１に記載の端末装置。
【請求項３】
前記使用可能領域内外判断手段が、前記端末装置の現在位置が前記使用可能領域外であると判断した場合に、前記現在位置情報を予め定められた秘密情報管理装置に送信する現在位置情報送信手段を有することを特徴とする請求項１又は請求項２のいずれかに記載の端末装置。
【請求項４】
前記認証手段による認証ができない場合には、前記秘密情報を消去する秘密情報消去手段を有することを特徴とする請求項１乃至請求項３のいずれかに記載の端末装置。
【請求項５】
秘密情報を格納した端末装置が、前記端末装置の起動時に、前記端末装置の現在位置を示す現在位置情報を生成する現在位置情報生成ステップと、
前記端末装置が、前記現在位置情報に示される現在位置が前記端末装置の使用可能領域内か否かを判断する使用可能領域内外判断ステップと、
前記端末装置が、前記使用可能領域内外判断ステップにおいて、前記現在位置が前記使用可能領域内ではないと判断した場合に、前記端末装置の電源を切断する使用可能領域外電源切断ステップと、
前記端末装置が、前記使用可能領域外電源切断ステップにおいて電源が切断された後の起動時において、前記端末装置を使用する者の識別情報によって、前記端末装置の使用が許可された被許可者であることを認証することができるか否かを判断する認証ステップと、
前記端末装置が、前記認証ステップにおいて認証ができないと判断した場合には、前記端末装置の電源を切断する認証不可電源切断ステップと、
を有することを特徴とする端末装置の制御方法。
【請求項６】
コンピュータに、
秘密情報を格納した端末装置が、前記端末装置の起動時に、前記端末装置の現在位置を示す現在位置情報を生成する現在位置情報生成ステップと、
前記端末装置が、前記現在位置情報に示される現在位置が前記端末装置の使用可能領域内か否かを判断する使用可能領域内外判断ステップと、
前記端末装置が、前記使用可能領域内外判断ステップにおいて、前記現在位置が前記使用可能領域内ではないと判断した場合に、前記端末装置の電源を切断する使用可能領域外電源切断ステップと、
前記端末装置が、前記使用可能領域外電源切断ステップにおいて電源が切断された後の起動時において、前記端末装置を使用する者の識別情報によって、前記端末装置の使用が許可された被許可者であることを認証することができるか否かを判断する認証ステップと、
前記端末装置が、前記認証ステップにおいて認証ができないと判断した場合には、前記端末装置の電源を切断する認証不可電源切断ステップと、
を実行させることを特徴とする端末装置の制御プログラム。
【請求項７】
コンピュータに、
秘密情報を格納した端末装置が、前記端末装置の起動時に、前記端末装置の現在位置を示す現在位置情報を生成する現在位置情報生成ステップと、
前記端末装置が、前記現在位置情報に示される現在位置が前記端末装置の使用可能領域内か否かを判断する使用可能領域内外判断ステップと、
前記端末装置が、前記使用可能領域内外判断ステップにおいて、前記現在位置が前記使用可能領域内ではないと判断した場合に、前記端末装置の電源を切断する使用可能領域外電源切断ステップと、
前記端末装置が、前記使用可能領域外電源切断ステップにおいて電源が切断された後の起動時において、前記端末装置を使用する者の識別情報によって、前記端末装置の使用が許可された被許可者であることを認証することができるか否かを判断する認証ステップと、
前記端末装置が、前記認証ステップにおいて認証ができないと判断した場合には、前記端末装置の電源を切断する認証不可電源切断ステップと、
を実行させることを特徴とする端末装置の制御プログラムを記録したコンピュータ読み取り可能な記録媒体。
【発明の詳細な説明】
【技術分野】
【０００１】
本発明は、不正使用防止機能付の端末装置、端末装置の制御方法、端末装置の制御プログラム、端末装置の制御プログラムを記録したコンピュータ読み取り可能な記録媒体に関するものである。
【背景技術】
【０００２】
パソコンなどに格納した営業秘密や技術上の秘密（以下、秘密情報と呼ぶ）は、予めその使用を許可された者（以下、被許可者と呼ぶ）が、許可された使用態様（以下、許容態様と呼ぶ）によってのみ使用することが望ましい。しかし、被許可者以外の者がパソコンから秘密情報を窃取したり、被許可者が許容態様以外の態様でパソコンなどに格納した秘密情報を使用する（以下、不正使用と呼ぶ）場合がある。
この点、移動端末の機能の制限に関して、移動端末の位置を測位し、その位置が属する場所によって、移動端末の機能を制限する技術が提案されている（例えば、特許文献１）。
【特許文献１】特開２０００−２２４６６１号公報（図１等）
【発明の開示】
【発明が解決しようとする課題】
【０００３】
しかし、上述の従来技術においては、不正使用をしようとする者（以下、不正使用者と呼ぶ）が、移動端末の機能が制限される機能制限領域（以下、使用可能領域外と呼ぶ）でその移動端末を使用しても、その後、移動端末の機能の制限がない領域（以下、使用可能領域内と呼ぶ）に入った場合には、移動端末から秘密情報を取得することができるという問題がある。
【０００４】
そこで、本発明は、不正使用者が使用可能領域外で端末装置を使用した後は、その後に使用可能領域内に入ったとしても、端末装置から秘密情報を取得することを不可能にすることができる端末装置、端末装置の制御方法、端末装置の制御プログラム、端末装置の制御プログラムを記録したコンピュータ読み取り可能な記録媒体を提供することを目的とする。
【課題を解決するための手段】
【０００５】
前記目的は、第１の発明によれば、秘密情報を格納した端末装置であって、前記端末装置の使用可能領域を示す使用可能領域情報を格納する使用可能領域情報格納手段と、前記端末装置の起動時に、前記端末装置の現在位置を示す現在位置情報を生成する現在位置情報生成手段と、前記現在位置情報に示される現在位置が、前記使用可能領域内か否かを判断する使用可能領域内外判断手段と、前記使用可能領域内外判断手段が、前記現在位置が前記使用可能領域内ではないと判断した場合に、前記端末装置の電源を切断する使用可能領域外電源切断手段と、前記使用可能領域外電源切断手段によって電源が切断された後の起動時において、前記端末装置を使用する者の識別情報によって、前記端末装置の使用が許可された被許可者であることを認証することができるか否かを判断する認証手段と、前記認証手段が前記認証をすることができないと判断した場合には、前記端末装置の電源を切断する認証不可電源切断手段と、を有することを特徴とする端末装置により達成される。
【０００６】
第１の発明の構成によれば、前記端末装置は、前記使用可能領域内外判断手段を有するから、前記現在位置が前記使用可能領域内か否かを判断することができる。
そして、前記端末装置は、前記使用可能領域外電源切断手段を有するから、前記現在位置が前記使用可能領域内ではない場合に、前記端末装置の電源を切断することができる。
このため、前記端末装置は、不正使用者が前記使用可能領域外において前記秘密情報を利用することを防止することができる。
さらに、前記端末装置は、前記認証手段を有するから、前記使用可能領域外電源切断手段によって電源が切断された後の起動時において、前記端末装置を使用する者の識別情報によって、前記端末装置の使用が許可された被許可者であることの認証をすることができる。
そして、前記端末装置は、前記認証不可電源切断手段を有するから、前記認証手段による認証ができない場合には、前記端末装置の電源を切断することができる。
このため、前記端末装置は、前記使用可能領域外において一度電源を切断した後は、たとえ前記端末装置が前記使用可能領域内に位置するとしても、前記認証手段による認証ができない限り、電源を切断する。
これにより、不正使用者が使用可能領域外で端末装置を使用した後は、その後に使用可能領域内に入ったとしても、端末装置から秘密情報を取得することを不可能にすることができる。
【０００７】
第２の発明は、第１の発明の構成において、前記現在位置情報、前記現在位置情報を生成した日時及び前記識別情報を記録する使用履歴情報記録手段を有することを特徴とする端末装置である。
第２の発明の構成によれば、前記端末装置は、前記使用履歴情報記録手段を有するから、誰が、いつ、どこで、前記端末装置を使用したかについての記録を保持することができる。
これは、前記端末装置を使用する者に対して、前記使用可能領域外において前記端末装置を使用することについての心理的威嚇となり、不正使用を未然に防止することができる。
【０００８】
第３の発明は、第１の発明又は第２の発明のいずれかの構成において、前記使用可能領域内外判断手段が、前記端末装置の現在位置が前記使用可能領域外であると判断した場合に、前記現在位置情報を予め定められた秘密情報管理装置に送信する現在位置情報送信手段を有することを特徴とする端末装置である。
第３の発明構成によれば、前記端末装置は、前記現在位置情報送信手段を有するから、前記端末装置が前記使用可能領域外で使用された場合には、前記現在位置情報を前記秘密情報管理装置に送信することができる。
このため、前記秘密情報管理装置はその使用者（管理者）に対して、前記端末装置が前記使用可能領域外の特定の場所において使用されている事実を通知することができる。
【０００９】
第４の発明は、第１の発明乃至第３の発明のいずれかの構成において、前記認証手段による認証ができない場合には、前記秘密情報を消去する秘密情報消去手段を有することを特徴とする端末装置である。
第４の発明の構成によれば、前記端末装置は、前記秘密情報消去手段を有するから、不正使用者による前記秘密情報の使用を確実に防止することができる。
【００１０】
前記目的は、第５の発明によれば、秘密情報を格納した端末装置が、前記端末装置の起動時に、前記端末装置の現在位置を示す現在位置情報を生成する現在位置情報生成ステップと、前記端末装置が、前記現在位置情報に示される現在位置が前記端末装置の使用可能領域内か否かを判断する使用可能領域内外判断ステップと、前記端末装置が、前記使用可能領域内外判断ステップにおいて、前記現在位置が前記使用可能領域内ではないと判断した場合に、前記端末装置の電源を切断する使用可能領域外電源切断ステップと、前記端末装置が、前記使用可能領域外電源切断ステップにおいて電源が切断された後の起動時において、前記端末装置を使用する者の識別情報によって、前記端末装置の使用が許可された被許可者であることを認証することができるか否かを判断する認証ステップと、前記端末装置が、前記認証ステップにおいて認証ができないと判断した場合には、前記端末装置の電源を切断する認証不可電源切断ステップと、を有することを特徴とする端末装置の制御方法によって達成される。
【００１１】
第５の発明の構成によれば、第１の発明の構成と同様に、不正使用者が使用可能領域外で端末装置を使用した後は、その後に使用可能領域内に入ったとしても、端末装置から秘密情報を取得することを不可能にすることができる。
【００１２】
前記目的は、第６の発明によれば、コンピュータに、密情報を格納した端末装置が、前記端末装置の起動時に、前記端末装置の現在位置を示す現在位置情報を生成する現在位置情報生成ステップと、前記端末装置が、前記現在位置情報に示される現在位置が前記端末装置の使用可能領域内か否かを判断する使用可能領域内外判断ステップと、前記端末装置が、前記使用可能領域内外判断ステップにおいて、前記現在位置が前記使用可能領域内ではないと判断した場合に、前記端末装置の電源を切断する使用可能領域外電源切断ステップと、前記端末装置が、前記使用可能領域外電源切断ステップにおいて電源が切断された後の起動時において、前記端末装置を使用する者の識別情報によって、前記端末装置の使用が許可された被許可者であることを認証することができるか否かを判断する認証ステップと、前記端末装置が、前記認証ステップにおいて認証ができないと判断した場合には、前記端末装置の電源を切断する認証不可電源切断ステップと、を実行させることを特徴とする端末装置の制御プログラムによって達成される。
【００１３】
前記目的は、第７の発明によれば、コンピュータに、秘密情報を格納した端末装置が、前記端末装置の起動時に、前記端末装置の現在位置を示す現在位置情報を生成する現在位置情報生成ステップと、前記端末装置が、前記現在位置情報に示される現在位置が前記端末装置の使用可能領域内か否かを判断する使用可能領域内外判断ステップと、前記端末装置が、前記使用可能領域内外判断ステップにおいて、前記現在位置が前記使用可能領域内ではないと判断した場合に、前記端末装置の電源を切断する使用可能領域外電源切断ステップと、前記端末装置が、前記使用可能領域外電源切断ステップにおいて電源が切断された後の起動時において、前記端末装置を使用する者の識別情報によって、前記端末装置の使用が許可された被許可者であることを認証することができるか否かを判断する認証ステップと、前記端末装置が、前記認証ステップにおいて認証ができないと判断した場合には、前記端末装置の電源を切断する認証不可電源切断ステップと、を実行させることを特徴とする端末装置の制御プログラムを記録したコンピュータ読み取り可能な記録媒体によって達成される。
【発明を実施するための最良の形態】
【００１４】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。  
【００１５】
図１は、本発明の実施の形態の不正使用防止システム１０を示す概略図である。
図２は、領域Ｘ等の一例を示す図である。
図１に示すように、不正使用防止システム１０は、パソコン２０（以後、ＰＣ２０と呼ぶ）を有する。ＰＣ２０は、営業秘密や技術上の秘密などの秘密情報１５２（図４参照）を格納している。このＰＣ２０は、端末装置の一例である。
ＰＣ２０は、図２の使用可能領域Ｘ（以後、領域Ｘと呼ぶ）内においてのみ、使用可能になっている。
ＰＣ２０は、特定の会社に属し、この会社の特定の従業員だけが領域Ｘ内において、使用を許可されている。使用を許可されている従業員は、それぞれ固有の認証用識別番号（以後、認証ＩＤと呼ぶ）を有している。使用を許可されている者を被許可者と呼ぶ。  
また、ＰＣ２０は、ＧＰＳ（Ｇｌｏｂａｌ  Ｐｏｓｉｔｉｏｎｉｎｇ  Ｓｙｓｔｅｍ）装置３６を有し、ＧＰＳ衛星１２ａ，１２ｂ，１２ｃ及び１２ｄからの信号である例えば、信号Ｓ１，Ｓ２，Ｓ３及びＳ４を受信することができる。
また、ＰＣ２０は、通信装置３８を有し、基地局５０及び専用回線５５を介して管理サーバ６０と通信可能になっている。この管理サーバ６０は、秘密情報管理装置の一例である。管理サーバ６０もまた、会社に属し、ＰＣ２０の使用状態を管理している。
【００１６】
なお、端末装置の一例としてＰＣ２０を記載したが、端末装置は秘密情報を格納する移動端末（持ち運び可能な移動端末）であればよく、例えば、プロジェクター、プリンタ、携帯電話機、ＰＨＳ（Ｐｅｒｓｏｎａｌ  Ｈａｎｄｙ−ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｃｅ）等であってもよい。
【００１７】
（ＰＣ２０の主なハードウエア構成について）
図３はＰＣ２０の主なハードウエア構成を示す概略図である。
図３に示すように、ＰＣ２０は、バス２２を有する。
【００１８】
このバス２２には、ＣＰＵ（Ｃｅｎｔｒａｌ  Ｐｒｏｃｅｓｓｉｎｇ  Ｕｎｉｔ）２４、記憶装置２６、外部記憶装置２８等が接続されている。記憶装置２６は例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等である。外部記憶装置２８は例えば、ＨＤＤ（Ｈａｒｄ  Ｄｉｓｋ  Ｄｒｉｖｅ）等である。
【００１９】
また、このバス２２には、各種情報等を入力するための入力装置３０、各種情報を表示するための表示装置３２、日時を計測するための時計３４が接続されている。
また、このバス２２には、ＧＰＳ装置３６、通信装置３８が接続されている。
また、このバス２２には、ＩＣリーダ４０が接続されている。ＩＣリーダ４０は、端末２０を使用する者が保持するＩＣカードからその情報を読み取るための装置である。
また、このバス２２には、電源４２、電源ボタン４４及び外部インタフェース４６が接続されている。
【００２０】
（ＰＣ２０の主なソフトウエア構成について）
図４は、ＰＣ２０の主なソフトウエア構成を示す概略図である。
図４に示すように、ＰＣ２０は、各部を制御する制御部１００、図３のＧＰＳ装置３６に対応するＧＰＳ部１０２、通信装置３８に対応する通信部１０４、ＩＣリーダ４０に対応するＩＣリーダ部１０６及び時計３４に対応する計時部１０８等を有する。
【００２１】
また、図４に示すように、ＰＣ２０は、各種プログラムを格納する第１記憶部１１０、各種情報を格納する第２記憶部１５０を有する。
【００２２】
図４に示すように、ＰＣ２０は、第２記憶部１５０に、秘密情報１５２を格納している。秘密情報１５２は秘密情報の一例であり、例えば、営業秘密や技術上の秘密を示す情報である。
【００２３】
また、図４に示すように、ＰＣ２０は、第２記憶部１５０に、衛星軌道情報１５４を格納している。衛星軌道情報１５４は、すべてのＧＰＳ衛星１２ａ等（図１参照）の概略の衛星軌道を示すアルマナック１５４ａ及び、各ＧＰＳ衛星１２ａ等の精密な衛星軌道を示すエフェメリス１５４ｂを含む。ＰＣ２０は、衛星軌道情報１５４を、測位のために使用する。
【００２４】
また、図４に示すように、ＰＣ２０は、第２記憶部１５０に、認証フラグ１５６を格納している。認証フラグ１５６が「１」のときは、認証フラグがＯＮになっており、認証が必要であることを意味する。すなわち、認証フラグ１５６が「１」のときは、ＰＣ２０が認証しない限り、電源４２（図３参照）を切断する。
これに対して、認証フラグ１５６が「０」のときは、認証フラグがＯＦＦになっており、認証が不要であることを意味する。すなわち、認証フラグ１５６が「０」のときは、ＰＣ２０は認証をすることなく、処理を継続する。
【００２５】
また、図４に示すように、ＰＣ２０は、第２記憶部１５０に、認証情報１５８を格納している。認証情報１５８は、ＰＣ２０の使用が許可された一人又は複数人にそれぞれ対応する認証ＩＤである。
【００２６】
また、図４に示すように、ＰＣ２０は、第２記憶部１５０に、使用可能領域情報１６０を格納している。使用可能領域情報１６０は、ＰＣ２０を使用することができる領域Ｘを示す情報である。領域Ｘは使用可能領域の一例であり、第２記憶部１５０は使用可能領域情報格納手段の一例である。
【００２７】
また、図４に示すように、ＰＣ２０は、第１記憶部１１０に、測位位置情報生成プログラム１１２を格納している。測位位置情報生成プログラム１１２は、制御部１００が、ＧＰＳ部１０２によって取得した信号Ｓ１等に基づいて、測位位置Ｐを示す測位位置情報１６２を生成するためのプログラムである。この測位位置情報１６２は、現在位置情報の一例である。そして、測位位置情報生成プログラム１１２と制御部１００は、現在位置情報生成手段の一例である。
【００２８】
具体的には、制御部１００は、アルマナック１５４ａを参照して、時計３４（図３参照）によって計時した現在時刻において観測可能なＧＰＳ衛星１２ａ等を特定する。そして、制御部１００は、ＧＰＳ部１０２によって、例えば、３個以上のＧＰＳ衛星１２ａ等から信号Ｓ１等を受信し、信号Ｓ１等が各ＧＰＳ衛星１２ａ等から発信された時刻とＰＣ２０に到達した時刻との差である遅延時間によって、各ＧＰＳ衛星１２ａ等とＰＣ２０との間の距離である擬似距離を求める。そして、エフェメリス１５４ｂと、上述の擬似距離を使用して、現在位置の測位演算を行し、測位位置Ｐを算出するようになっている。
制御部１００は、生成した測位位置情報１６２を第２記憶部１５０に格納する。測位位置情報１６２は、測位位置Ｐの座標を例えば、緯度、経度及び高度で示す情報である。
なお、本実施の形態とは異なり、PC２０は、測位位置情報１６２の生成を、複数の基地局５０からの通信電波を利用する基地局測位によって行ってもよいし、複数の近距離無線電波（無線ＬＡＮなどが送出する電波）を利用する近距離無線測位によって行ってもよい。
【００２９】
図４に示すように、ＰＣ２０は、第１記憶部１１０に、測位位置評価プログラム１１４を格納している。測位位置評価プログラム１１４は、制御部１００が、上述の測位位置情報１６２に示される測位位置Ｐが、領域Ｘ内か否かを判断するためのプログラムである。すなわち、測位位置評価プログラム１１４と制御部１００は、使用可能領域内外判断手段の一例である。
測位位置評価プログラム１１４はまた、制御部１００が、測位位置Ｐが領域Ｘ内ではないと判断した場合に、電源４２（図３参照）を切断するためのプログラムでもある。すなわち、測位位置評価プログラム１１４と制御部１００は、使用可能領域外電源切断手段の一例でもある。
具体的には、制御部１００は、図２（ａ）に示すように、測位位置Ｐが領域Ｘ内であれば、電源４２を切断せずに、処理を継続する。
これに対して、制御部１００は、図２（ｂ）に示すように、測位位置Ｐが領域Ｘ外であれば、電源４２を切断する。
【００３０】
図４に示すように、ＰＣ２０は、第１記憶部１１０に、認証プログラム１１６を格納している。認証プログラム１１６は、制御部１００が、測位位置Ｐが領域Ｘ内ではないと判断して電源４２を切断した後に、電源ボタン４４（図３参照）が押下されて電源４２が接続され、再び起動されたときに、ＰＣ２０を使用する者の認証ＩＤによって、ＰＣ２０の使用が許可された被許可者であることの認証をすることができるか否かを判断するためのプログラムである。この認証ＩＤは識別情報の一例である。そして、認証プログラム１１６と制御部１００は、認証手段の一例である。
具体的には、制御部１００は、使用者が有するＩＣカード（図示せず）の情報をＩＣリーダ４０（図３参照）によって読み取り、読み取った認証ＩＤが、認証情報１５８に示される認証ＩＤのいずれかと一致していれば被許可者であることの認証をすることができると判断し、いずれとも一致しない場合には、認証をすることができないと判断する。
なお、ＩＣリーダ４０は、例えば、接触式のＩＣカードの情報を読み取るが、これに限らず、非接触式のＩＣカードの情報からの無線電波を受信することによって読み取るようにしてもよい。
【００３１】
認証プログラム１１６は、また、制御部１００が被許可者であることを認証できないと判断した場合には、電源４２を切断するためのプログラムでもある。すなわち、認証プログラム１１６と制御部１００は、認証不可電源切断手段の一例でもある。
また、制御部１００は、予め規定した時間である例えば、１０秒（ｓ）以内に、認証ＩＤの入力がない場合にも、電源４２を切断する。
このため、例えば、領域Ｘ外においてＰＣ２０の電源４２が切断された後（図２（ｂ）参照）には、図２（ｃ）に示すようにＰＣ２０が領域Ｘ内に入ったとしても、認証ができないかぎり、電源４２は切断される。
【００３２】
図４に示すように、ＰＣ２０は、第１記憶部１１０に、使用履歴情報生成プログラム１１８を格納している。使用履歴情報生成プログラム１１８は、制御部１００が、測位位置情報１６２、測位位置情報１６２を生成した日時、及び、使用者のＩＣカードから読み取った認証ＩＤを記録することによって使用履歴情報１６４を生成するためのプログラムである。すなわち、使用履歴情報生成プログラム１１８と制御部１００は、使用履歴情報生成手段の一例である。
ＰＣ２０は、計時部１０８によって、測位位置情報１６２が生成された日時を計測する。
【００３３】
図４に示すように、ＰＣ２０は、第１記憶部１１０に、測位位置情報送信プログラム１２０を格納している。測位位置情報送信プログラム１２０は、制御部１００が、測位位置Ｐが領域Ｘ外であると判断した場合に、測位位置情報１６２を管理サーバ６０（図１参照）に送信するためのプログラムである。すなわち、測位位置情報送信プログラム１２０と制御部１００は、現在位置情報送信手段の一例である。
【００３４】
図４に示すように、ＰＣ２０は、第１記憶部１１０に、秘密情報消去プログラム１２２を格納している。秘密情報消去プログラム１２２は、制御部１００が、被許可者の認証ができない場合に、秘密情報１５２を消去するためのプログラムである。すなわち、秘密情報消去プログラム１２２と制御部１００は、秘密情報消去手段の一例である。
【００３５】
不正使用防止システム１０は、上述のように構成されている。
上述のように、ＰＣ２０は、測位位置Ｐが領域Ｘ内か否かを判断することができる。
そして、ＰＣ２０は、測位位置Ｐが領域Ｘ内ではない場合に、電源４２（図３参照）を切断することができる。
このため、ＰＣ２０は、不正使用者が領域Ｘ外において秘密情報１５２（図４参照）を利用することを防止することができる。
さらに、ＰＣ２０は、測位位置Ｐが領域Ｘ内ではないと判断して電源４２を切断した後の起動時において、ＰＣ２０を使用する者の認証ＩＣによって、ＰＣ２０の使用が許可された被許可者であることの認証をすることができるか否かを判断することができる。
そして、ＰＣ２０は、被許可者であることの認証ができない場合には、電源４２を切断することができる。
このため、ＰＣ２０は、領域Ｘ外において一度電源４２を切断した後は、たとえＰＣ２０が領域Ｘ内に位置するとしても、認証ができない限り、電源４２を切断する。
これにより、不正使用者が領域Ｘ外でＰＣ２０を使用した後は、その後に領域Ｘに入ったとしても、ＰＣ２０から秘密情報を取得することを不可能にすることができる。
【００３６】
また、ＰＣ２０は、使用履歴情報１６４（図４参照）を生成することができるから、誰が、いつ、どこでＰＣ２０を使用したかについての記録を保持することができる。
これは、ＰＣ２０を使用する者に対して、領域Ｘ外においてＰＣ２０を使用することについての心理的威嚇となり、不正使用を未然に防止することができる。
【００３７】
また、ＰＣ２０は、ＰＣ２０が領域Ｘ外で使用された場合には、測位位置情報１６２を管理サーバ６０に送信することができる。
このため、管理サーバ６０はその使用者（管理者）に対して、ＰＣ２０が領域Ｘ外の特定の場所において使用されている事実を通知することができる。
【００３８】
さらに、ＰＣ２０は、認証ができない場合には、秘密情報１５２を消去するから、不正使用者による秘密情報１５２の使用を確実に防止することができる。
【００３９】
（不正使用防止システム１０の動作例について）
以上が本実施の形態に係る不正使用防止システム１０の構成であるが、以下、その動作例を主に図５を使用して説明する。
【００４０】
図５は本実施の形態に係る不正使用防止システム１０の動作例を示す概略フローチャートである。
ＰＣ２０が、電源ボタン４４（図３参照）が押下されたか否かを判断し（図５のステップＳＴ１）、電源ボタン４４が押下されたと判断すると、認証が必要か否かを判断する（ステップＳＴ２）。
ステップＳＴ２においては、具体的には、ＰＣ２０は、認証フラグが１か否かを判断する。
【００４１】
ステップＳＴ２において、ＰＣ２０が、認証フラグが１であると判断すると、認証ＩＤを受信したか否かを判断する（ステップＳＴ３）。
ステップＳＴ３において、ＰＣ２０が、例えば、１０秒（ｓ）以内に認証ＩＤを受信していないと判断すると、電源切断処理を実施する（ステップＳＴ１０）。
【００４２】
これに対して、ステップＳＴ３において、ＰＣ２０が、１０秒（ｓ）以内に認証ＩＤを受信したと判断すると、認証することができるか否かを判断する（ステップＳＴ４）。上述のステップＳＴ３及びＳＴ４は、認証ステップの一例である。
ステップＳＴ４において、ＰＣ２０が、認証することができないと判断すると、電源切断処理を実施する（ステップＳＴ１０）。このステップＳＴ１０は、認証不可電源切断ステップの一例である。
【００４３】
ステップＳＴ４において、ＰＣ２０が、認証することができると判断すると、認証フラグを０に設定する（ステップＳＴ５）。
続いて、ＰＣ２０は、測位位置情報１６２（図４参照）を生成する（ステップＳＴ６）。このステップＳＴ６は、現在位置情報生成ステップの一例である。なお、上述のステップＳＴ２において、ＰＣ２０が認証が必要ではないと判断した場合にも、このステップＳＴ６へ進み、測位位置情報１６２を生成する。
【００４４】
続いて、ＰＣ２０は、測位位置Ｐが使用可能領域Ｘ内か否かを判断する（ステップＳＴ７）。このステップＳＴ７は、使用可能領域内外判断ステップの一例である。
ステップＳＴ７において、ＰＣ２０は、測位位置Ｐが使用可能領域Ｘ内であると判断した場合には、起動処理を続行する（ステップＳＴ８）。
これに対して、ステップＳＴ７において、ＰＣ２０は、測位位置Ｐが使用可能領域Ｘ内ではないと判断した場合には、認証フラグを１に設定し（ステップＳＴ９）、電源切断処理を実施する（ステップＳＴ１０）。このステップＳＴ１０は、使用可能領域外電源切断ステップの一例でもある。
【００４５】
上述のように、不正使用者が領域Ｘ外でＰＣ２０を使用した後は、その後に領域Ｘに入ったとしても、ＰＣ２０から秘密情報を取得することを不可能にすることができる。
【００４６】
（プログラム及びコンピュータ読み取り可能な記録媒体等について）
コンピュータに上述の動作例の現在位置情報生成ステップと、使用可能領域内外判断ステップと、使用可能領域外電源切断ステップと、認証ステップと、認証不可電源切断ステップ等を実行させるための端末装置の制御プログラムとすることができる。
また、このような端末装置の制御プログラム等を記録したコンピュータ読み取り可能な記録媒体等とすることもできる。
【００４７】
これら端末装置の制御プログラム等をコンピュータにインストールし、コンピュータによって実行可能な状態とするために用いられるプログラム格納媒体は、例えばフロッピー（登録商標）のようなフレキシブルディスク、ＣＤ−ＲＯＭ（Ｃｏｍｐａｃｔ  Ｄｉｓｃ  Ｒｅａｄ  Ｏｎｌｙ  Ｍｅｍｏｒｙ）、ＣＤ−Ｒ（Ｃｏｍｐａｃｔ  Ｄｉｓｃ−Ｒｅｃｏｒｄａｂｌｅ）、ＣＤ−ＲＷ（Ｃｏｍｐａｃｔ  Ｄｉｓｃ−Ｒｅｗｒｉｔａｂｌｅ）、ＤＶＤ（Ｄｉｇｉｔａｌ  Ｖｅｒｓａｔｉｌｅ  Ｄｉｓｃ）などのパッケージメディアのみならず、プログラムが一時的若しくは永続的に格納される半導体メモリ、磁気ディスクあるいは光磁気ディスクなどで実現することができる。
【００４８】
本発明は、上述の各実施の形態に限定されない。さらに、上述の各実施の形態は、相互に組み合わせて構成するようにしてもよい。
【図面の簡単な説明】
【００４９】
【図１】本発明の実施の形態の不正使用防止システムを示す概略図である。
【図２】使用可能領域等の一例を示す概略図である。
【図３】ＰＣの主なハードウエア構成を示す概略図である。
【図４】ＰＣの主なソフトウエア構成を示す概略図である。
【図５】不正使用防止システムの動作例を示す概略フローチャートである。
【符号の説明】
【００５０】
１０・・・不正使用防止システム、１２ａ，１２ｂ，１２ｃ，１２ｄ・・・ＧＰＳ衛星、２０・・・パソコン、１１２・・・測位位置情報生成プログラム、１１４・・・測位位置評価プログラム、１１６・・・・認証プログラム、１１８・・・使用履歴情報生成プログラム、１２０・・・測位位置情報送信プログラム、１２２・・・秘密情報消去プログラム
【図１】
2007043378.tif 000003
【図２】
2007043378.tif 000004
【図３】
2007043378.tif 000005
【図４】
2007043378.tif 000006
【図５】
2007043378.tif 000007